(57)【要約】【課題】  装置を大型化させることなく、光源ランプの破損を防止可能な内視鏡用光源装置を得る。【解決手段】  光源ランプが発した光に含まれる赤外光をカットする赤外カットフィルタとを備え、照明用ライトガイドファイババンドルの入射端に照明光を供給する内視鏡用光源装置において、赤外カットフィルタは、光源ランプと照明用ライトガイドファイババンドルの入射端の間に、該赤外カットフィルタの法線方向を光源ランプの光軸から傾斜させた状態で配置され、光源ランプが発した光に含まれる赤外光を該光源ランプの光軸外に反射する。【選択図】  図１
2007068754.tif 000002
【特許請求の範囲】
【請求項１】
光源ランプが発した光に含まれる赤外光を反射させることによってカットする赤外カットフィルタとを備え、照明用ライトガイドファイババンドルの入射端に照明光を供給する内視鏡用光源装置において、
前記赤外カットフィルタは、前記光源ランプと前記照明用ライトガイドファイババンドルの入射端の間に該赤外カットフィルタの法線方向を前記光源ランプの光軸外に向けて配置され、前記光源ランプが発した光に含まれる赤外光を該光源ランプの光軸外に反射することを特徴とする内視鏡用光源装置。
【請求項２】
請求項１記載の内視鏡用光源装置において、前記赤外カットフィルタの傾斜角度を、反射した赤外光が前記光源ランプ外の位置で集光するように規定した内視鏡用光源装置。
【請求項３】
請求項１記載の内視鏡用光源装置において、反射した赤外光が前記光源ランプ外であって且つ該光源ランプと一体化された反射ミラー外の位置で集光するように、前記赤外カットフィルタの傾斜角度を規定した内視鏡用光源装置。
【請求項４】
請求項２または３記載の内視鏡用光源装置において、装置筐体内に、前記赤外カットフィルタにより反射された赤外光の集光ポイントに位置させて、放熱板を設けた内視鏡用光源装置。
【発明の詳細な説明】
【技術分野】
【０００１】
本発明は、内視鏡に照明光を供給する内視鏡用光源装置に関する。
【背景技術】
【０００２】
内視鏡の照明用ライドガイドファイババンドルの入射端に照明光を供給する内視鏡用光源装置には、患者の安全性確保のため及び観察画像の正しい色再現性確保のために、光源ランプから発せられた照明光に含まれる赤外領域の光（以下、「赤外光」という）をカットする赤外カットフィルタが備えられている。赤外カットフィルタとしては、赤外光を吸収して赤外光以外（可視光、紫外線）を透過させる吸収型よりも、赤外光を反射して赤外光以外を透過させる反射型の赤外カットフィルタが多用されている。この赤外カットフィルタは、光源ランプと照明用ライドガイドファイババンドルの入射端との間に、該光源ランプの光軸に対して垂直に配置されることが一般的であった。
【０００３】
【特許文献１】特開平５−２３２３８７号公報
【発明の開示】
【発明が解決しようとする課題】
【０００４】
光源ランプから発せられた照明光のうち、赤外光は赤外カットフィルタで反射され、赤外光以外は赤外カットフィルタを通過し、集光されて照明用ライドガイドファイババンドルの入射端へ進む。上述したように赤外カットフィルタは光源ランプの光軸に対して垂直に配置されているため、赤外カットフィルタで反射された赤外反射光は光源ランプの光軸上の集光ポイントに集められる。赤外反射光の集光ポイントＸｐ１１、Ｘｐ２２は、図５に示すように、光源ランプ１１１と赤外カットフィルタ１１３との距離に応じて変化する。しかしながら、現状では装置構成上から光源ランプの近くに赤外カットフィルタを配置せざるを得ず、上記赤外反射光の集光ポイントが光源ランプ上に位置していた。このため、光源ランプは赤外反射光により加熱され、最悪の場合には破裂する虞があった。光源ランプと赤外カットフィルタとの距離を長く確保すれば、赤外反射光の集光ポイントが光源ランプに当たらないので赤外反射光による光源ランプの加熱を低減できるが、装置大型化を招いてしまう。
【０００５】
本発明は、上記課題に鑑みてなされたものであり、装置を大型化させることなく、光源ランプの破損を防止可能な内視鏡用光源装置を得ることを目的とする。
【課題を解決するための手段】
【０００６】
本発明は、赤外カットフィルタにより反射された赤外光が光源ランプに集中的に当たることが光源ランプの破損原因であることを認識してなされたものである。
【０００７】
すなわち、本発明は、光源ランプが発した光に含まれる赤外光を反射させることによってカットする赤外カットフィルタとを備え、照明用ライトガイドファイババンドルの入射端に照明光を供給する内視鏡用光源装置において、赤外カットフィルタは、光源ランプと照明用ライトガイドファイババンドルの入射端の間に該赤外カットフィルタの法線方向を光源ランプの光軸外に向けて配置され、光源ランプが発した光に含まれる赤外光を該光源ランプの光軸外に反射することを特徴としている。この態様によれば、赤外カットフィルタにより反射された赤外光の集光ポイントが光源ランプの光軸上に位置することがないので、光源ランプと赤外カットフィルタの間の距離を長く確保しなくても光源ランプに当たる赤外光を減らすことができ、赤外光による光源ランプの温度上昇、延いては過度な温度上昇による光源ランプの破損を防止可能である。
【０００８】
赤外カットフィルタの傾斜角度は、反射した赤外光が光源ランプ外の位置で集光するように規定することが好ましい。より好ましくは、反射した赤外光が光源ランプ外であって且つ該光源ランプと一体化された反射ミラー外の位置で集光するように規定する。この態様によれば、赤外カットフィルタにより反射した赤外光が光源ランプに当たらない、もしくは当たる量が少なくて済み、赤外光による光源ランプの温度上昇をより効果的に抑えられる。
【０００９】
装置筐体内には、赤外カットフィルタにより反射された赤外光の集光ポイントに位置させて、放熱板を設けることが好ましい。この態様によれば、放熱板を介して赤外光による熱を外方へ放出することができ、装置筐体内の温度上昇を抑制することができる。
【発明の効果】
【００１０】
本発明によれば、装置を大型化させることなく、光源ランプの破損を防止可能な内視鏡用光源装置を得ることができる。
【発明を実施するための最良の形態】
【００１１】
図１は、本発明による内視鏡用光源装置１０を用いた内視鏡システムの概略構成図である。内視鏡システムは、体内挿入部２の先端に個体撮像素子３を配置した電子内視鏡１と、個体撮像素子３から出力された電気信号を画像処理して観察画像信号を生成するビデオプロセッサ６と、ビデオプロセッサ６から出力された観察画像信号に基づいて観察画像を表示するモニタ７と、電子内視鏡１の照明用ライトガイドファイババンドル５の入射端５ａに照明光を供給する光源装置１０とから構成されている。電子内視鏡１の観察範囲は、照明用ライトガイドファイババンドル５を介して体内挿入部２の先端まで伝達される照明光によって照明される。照明用ライトガイドファイババンドル５の入射端５ａは、コネクタ８を介して光源装置１０に着脱自在に接続されている。
【００１２】
光源装置１０は、照明光を発する光源ランプ１１と、該照明光を全反射して照明用ライトガイドファイババンドル５側へ射出させる反射ミラー１２と、照明光に含まれる赤外光（赤外領域７００〜１２００ｎｍの光）をカットする赤外カットフィルタ１３と、照明用ライトガイドファイババンドル５の入射端５ａに与える照明光量を制御する機械的絞り機構１４とを備えている。図示されていないが、光源装置１０には、装置筐体（ランプハウス）内及び光源ランプ１１を冷却する冷却ファンも設けられている。
【００１３】
図２は、図１の光源装置において、赤外カットフィルタの第１の配置態様を説明する模式側面図である。光源ランプ１１は、発光物質（水銀、アルゴンガス、金属ハロゲン化物質など）を封入した発光管１１ａに該発光管両端から一対の放電電極（陽極１１ｂ、陰極１１ｂ’）を挿入したもので、例えばキセノンランプ、メタルハライドランプ、ハロゲンランプ等を使用可能である。光源ランプ１１から発せられる照明光は、本実施形態では図１に示されるように照明用ライトガイドファイババンドル５側に進むにつれて光線が光軸Ｘ上の一点（集光ポイントＸｐ）に集中する集光であるが、光源ランプ１１の光軸Ｘに平行な平行光であってもよい。機械的絞り機構１４（図１）は、光源ランプ１１から照明用ライトガイドファイババンドル５側に向かって進む照明光の集光ポイントＸｐよりも光源ランプ１１側に配置されている。反射ミラー１２は、装置筐体に固定されたランプホルダ１５、１６を介して、光源ランプ１１と一体化されている。ランプホルダ１５、１６には、光源ランプ１１の陽極１１ｂ、陰極１１ｂ’を導通させるリード線１７、１８が設けられている。
【００１４】
上記光源装置１０（図１）において、光源ランプ１１から発せられた照明光に含まれる可視光（赤外光以外の光）は、赤外カットフィルタ１３を通過し、さらに機械的絞り機構１４を通過して光量調節され、照明用ライトガイドファイババンドル５の入射端５ａに供給される。一方、照明光に含まれる赤外光は、赤外カットフィルタ１３で反射され、赤外カットフィルタ１３を透過しない。すなわち、照明用ライトガイドファイババンドル５に照明光として供給されるのは可視光のみとなる。これにより、患者の安全性確保（赤外線の熱による悪影響回避）及び観察画像の色再現性確保を実現している。
【００１５】
上記光源装置１０（図１）において、赤外カットフィルタ１３は、光源ランプ１１と照明用ライトガイドファイババンドル５の入射端５ａとの間に、該赤外カットフィルタ１３の法線方向ｎを光源ランプ１１の光軸Ｘから所定角度θだけ傾斜させた状態で配置されている。このように赤外カットフィルタ１３が傾斜していると、光源ランプ１１から発せられた照明光に含まれる赤外光は、該赤外カットフィルタ１３によって光源ランプ１１の光軸外に反射され、光源ランプ１１に当たらない若しくは光源ランプ１１に当たる量が減少する。赤外カットフィルタ１３の傾斜角度θは、０°＜｜θ｜＜９０°の範囲内で、反射した赤外光が光源ランプ１１外及び反射ミラー１２外の位置で集光するように規定している。赤外カットフィルタ１３の傾斜角度θを０°＜θ＜９０°に規定した場合は図２に示すように光源ランプ１１よりも下方に集光ポイントＰ１が生じ、同傾斜角度θを−９０°＜θ＜０°に規定した場合には、図３に示すように光源ランプ１１よりも上方に集光ポイントＰ２が生じる。よって、赤外カットフィルタ１３が光源ランプ１１の光軸Ｘに対して垂直に配置されている場合（赤外カットフィルタ１３の法線方向ｎが光源ランプ１１の光軸Ｘに一致している場合）よりも光源ランプ１１の温度上昇は緩和され、過度な温度上昇による光源ランプ１１の破損を防止することができる。赤外カットフィルタ１３で反射された赤外光の集光ポイントは、冷却ファンによる冷却風の流路に近いほどよく、赤外カットフィルタ１３の傾斜角度θを調整して例えば冷却風の下流位置に設定することができる。
【００１６】
図４は、光源装置１０の装置筐体に、赤外カットフィルタ１３により反射された赤外反射光の集光ポイントＰ１に位置させて、放熱板２０を備えた実施形態を示している。放熱板２０は熱伝導性に優れた金属材料で形成されており、この放熱板２０で赤外反射光による熱の大部分が吸収されて同放熱板２０から装置外へ放出される。これにより、装置筐体内の温度上昇を抑制することができる。赤外カットフィルタ１３は、図２に示される実施形態と同様、光源ランプ１１と照明用ライトガイドファイババンドル５の入射端５ａとの間に、該赤外カットフィルタ１３の法線方向ｎを光源ランプ１１の光軸Ｘから所定角度θだけ傾斜させた状態で配置されている。この放熱板２０の有無以外の構成は、図２に示される実施形態と同一である。図示されていない冷却ファンによる送風（冷却）は、光源ランプ１１及び赤外反射光の集光ポイントＰ１に向いていることが好ましい。
【００１７】
以上のように各実施形態（図２〜図４）では、赤外カットフィルタ１３がその法線方向ｎを光源ランプ１１の光軸Ｘから所定角度θだけ傾斜させた状態で傾斜しているので、赤外カットフィルタ１３と光源ランプ１１の距離を長く確保しなくても光源ランプ１１に当たる赤外反射光は少なくなり、この赤外反射光による光源ランプ１１の加熱は抑制される。よって、装置を大型化させることなく、光源ランプ１１の破損を防止可能である。
【図面の簡単な説明】
【００１８】
【図１】本発明による内視鏡用光源装置を用いた内視鏡システムの概略構成図である。
【図２】図１の光源装置において、赤外カットフィルタの第１の配置態様を説明する模式側面図である。
【図３】図１の光源装置において、赤外カットフィルタの第２の配置態様を説明する模式側面図である。
【図４】図２の光源装置において、赤外反射光の集光ポイントに放熱板を備えた実施形態を説明する模式側面図である。
【図５】従来構造の内視鏡用光源装置を説明する模式側面図である。
【符号の説明】
【００１９】
１  電子内視鏡
２  体内挿入部
３  個体撮像素子
５  照明用ライトガイドファイババンドル
６  ビデオプロセッサ
７  モニタ
８  コネクタ
１０  光源装置（内視鏡用光源装置）
１１  光源ランプ
１２  反射ミラー
１３  赤外カットフィルタ
１４  機械的絞り機構
１５、１６  ランプホルダ
１７、１８  リード線
２０  放熱板
ｎ  法線方向
Ｐ１、Ｐ２  集光ポイント（光軸外）
Ｘ  光源ランプの光軸
Ｘｐ  集光ポイント（光軸上）
θ  赤外カットフィルタの傾斜角度
【図１】
2007068754.tif 000003
【図２】
2007068754.tif 000004
【図３】
2007068754.tif 000005
【図４】
2007068754.tif 000006
【図５】
2007068754.tif 000007